(57)【特許請求の範囲】
【請求項１】
映像と音声信号を映像音声データとして記録する映像・音声信号記録手段と、
前記映像・音声信号記録手段で記録された映像音声データに対応する撮影時経過時間情報を記録する撮影時経過時間情報記録手段と、
前記映像・音声信号記録手段で記録された映像音声データと前記撮影時経過時間情報記録手段で記録された撮影時経過時間情報とを合成するデータ合成手段と、
前記データ合成手段の出力を時系列的区分に区分けし、前記区分けされた複数の区分から任意の区分を取り出し、前記取り出した任意の区分を時系列的に連結するデータ編集手段と、
前記データ編集手段の出力をデータ放送として送出するデータ送信手段と、
を備える送信側と、
前記送信側の前記データ送信手段からのデータ放送を受信するデータ受信手段と、
前記データ受信手段で受信したデータを蓄積しておくデータ蓄積手段と、
前記データ蓄積手段で蓄積しているデータから撮影時経過時間情報と映像音声データとを抽出するデータ撮影時経過時間情報抽出手段と、
再生時の経過時間情報を計測する再生時経過時間情報計測手段と、
前記データ撮影時経過時間情報抽出手段で抽出された撮影時経過時間情報と前記再生時経過時間情報計測手段で計測された受信側の再生時経過時間情報との同期をとり、前記時系列的に連結された区分である第１の区分と後続する第２の区分を再生する場合に前記第１の区分の撮影終了時における撮影時経過時間情報と前記第２の区分の撮影開始時における撮影時経過時間情報との間に時間差がある場合には、前記第１の区分の再生終了時における再生時経過時間情報から前記時間差経過後に前記第２の区分の再生開始時における再生時経過時間情報を設定し、前記再生開始時における再生時経過時間情報に基いて前記第２の区分の再生を開始する様に後述する映像・音声信号再生手段の動作を制御する映像・音声信号制御手段と、
前記映像・音声信号制御手段の制御を受け、前記データ撮影時経過時間情報抽出手段から出力された映像音声データを再生する映像・音声信号再生手段と、
を備える受信側と、
を有する映像音声データ伝送システム。
【発明の詳細な説明】
【０００１】
【発明の属する技術分野】
本発明は映像音声データ伝送システムに関するものである。
【０００２】
【従来の技術】
一般に、映像音声信号を伝送する（例えば放送など）場合、送信側と受信側で時間軸が同期していることが通常である。すなわち、送信側で発信した映像が、受信側でそのまま再生される。この結果、一般放送においては、しばしば予め編集されて、映像記録時の時間進行とは異なった映像が発信されることがある。
ところが、放送内容によっては、記録された時間で放送した方が、視聴者にとって有益であるにもかかわらず、やむを得ず編集された映像を発信する場合がある。
【０００３】
例えば、料理番組においては、しばしば料理の過程を編集で割愛することがある（30分煮込む、など）が、視聴者がこの番組を録画しておき、この再生映像を見ながら料理を作る場合、再生される映像の時間経過は、実際に料理が作られていく時間経過と一致することが望ましい。即ち、途中映像が割愛されたとしても、再生はあくまで記録された時の時間進行に従う方式が望まれる。
【０００４】
これに対する既存の手法を用いた解として、記録された全映像をデジタルデータに変換し、その後データ圧縮手段（例えばMPEG圧縮など）を用いて圧縮し、データ放送等の仕組みを利用して放送するという方法が考えられる。
【０００５】
以下、従来例について、その動作を図を用いて説明する。
【０００６】
図7は従来の映像放送送受信システムの動作を示すブロック図である。図７(a)において、701はシステムの送信側全体、702はカメラ・マイクを含む、送信すべき映像・音声を記録するための映像音声撮影手段、703はカメラ・マイク702で撮影した映像・音声を記録する映像・音声信号記録手段、704は映像・音声信号記録手段703で記録された映像・音声データのうち、不要部分等を割愛するデータ編集手段、705はデータ編集手段704の出力をデータ放送として送出するデータ送信手段を表す。
【０００７】
また、図７(b)において、711はシステムの受信側全体、712はデータ受信手段、713は受信したデータを蓄積しておく蓄積手段、714はデータ付帯情報抽出手段から出力された付帯情報がない映像・音声を再生する映像・音声信号再生手段、715はブラウン管やスピーカなどの映像・音声を再生するための映像・音声表示手段を表す。従来システムにおいて、上記課題を解決するためには、データ編集手段704において、再生時に必要な映像を作成しておく必要があった。即ち、料理番組を実時間経過で再生するためには、調理途中の全映像を、割愛することなく送信しなければならない。
【０００８】
【発明が解決しようとする課題】
しかしながら、これらの方法では、本来割愛し得る部分の映像も伝送データに含まれることとなり、データが圧縮されているとはいえ、そこには冗長性が含まれる。また、この映像をテレビジョンなどの一般放送で放送する場合には、改めて編集作業を行い、冗長箇所を割愛する手間が発生する。
【０００９】
本発明は、かかる実情に鑑み、送信側では冗長箇所を割愛したデータを放送し、なおかつ受信側では、記録時の付帯情報に同期した再生を実現する映像音声データ伝送システムを提供しようとするものである。
【００１０】
【課題を解決するための手段】
上記課題を解決するため、本発明の映像音声データ伝送システムは、映像と音声信号を記録する映像音声信号記録手段と、記録された映像音声データに対する付帯情報記録手段と、記録された映像音声信号と付帯情報を合成するデータ合成手段と、複合したデータの、必要部分のみを断片的に連結するデータ編集手段と、編集後データ送信するデータ送信手段とを備える送信側と、データ受信手段と、
受信したデータを蓄積しておくデータ蓄積手段と、そこから付帯情報を抜き出すデータ付帯情報抽出手段と、外部から入力される受信側の環境情報を計測する付帯情報計測手段、受信データから抽出した付帯情報および受信側の付帯情報から映像音声の再生制御を行う映像・音声信号制御手段と、前記制御手段の制御を受け、前記付帯情報と同期して映像音声データを再生する映像・音声信号再生手段とを備える受信側を有することを特徴とするものである。
【００１１】
また、前記付帯情報が、映像音声データ記録時の経過時間を表す連続した刻印であり、これによりデータ付帯情報抽出部で記録時の経過時間を得、この時間に同期して映像音声信号を再生する映像・音声信号制御手段を持つことで、記録時の時間経過に同期した再生を実表する映像音声データ伝送システムを提供する。
【００１２】
また、前記付帯情報が、映像音声データ中の任意の2点と、繰り返し回数であり、これによりデータ付帯情報抽出部で、映像音声データに付帯する情報を抽出し、送信側で指定された任意回数の、任意の2点間の映像音声データを繰り返し再生しむることを特徴とする映像音声データ伝送システムを提供する。
【００１３】
また、前記付帯情報が、映像音声データ記録時の経過時間を表す連続した刻印と文字列であり、これによりデータ付帯情報抽出部で記録時の経過時間を得、この時間に同期して、記録された映像音声信号を再生する映像・音声信号制御手段と、文字列の内容を音声合成して発話する音声合成再生手段を備えることで、映像を補足する情報を再生時に音声にて視聴者に伝達できる映像音声データ伝送システムを提供する。
【００１４】
また、前記付帯情報が、映像音声データ記録時の経過時間を表す連続した刻印と外部機器制御命令列であり、これによりデータ付帯情報抽出部で記録時の経過時間を得、この時間に同期して、記録された映像音声信号を再生する映像・音声信号制御手段と、前記外部機器制御命令列の内容に従って機器を制御する外部機器制御手段を備えることで、再生映像に同期した外部機器制御を可能にする映像音声データ伝送システムを提供する。
【００１５】
また、前記付帯情報が、映像音声データ記録時の記録装置の移動距離を表す連続した刻印であり、これによりデータ付帯情報抽出部で記録時の移動距離を得、これと受信機の移動距離に同期して映像音声信号を再生する映像・音声信号制御手段を持つことで、視聴者の移動に同期した映像再生を実現する映像音声データ伝送システムを提供する。
【００１６】
【発明の実施の形態】
本発明の請求項１に記載の発明は、映像と音声信号を記録する映像音声信号記録手段と、記録された映像音声データに対する付帯情報記録手段と、記録された映像音声信号と付帯情報を合成するデータ合成手段と、合成したデータの、必要部分のみを断片的に連結するデータ編集手段と、編集後データ送信する手段とを備える送信側と、
データ受信手段と、受信したデータを蓄積しておくデータ蓄積手段と、そこから付帯情報を抜き出すデータ付帯情報抽出手段と、受信側の付帯情報を計測する付帯情報計測手段と、受信データから抽出した付帯情報および受信側の付帯情報から映像音声の再生制御を行う映像・音声信号制御手段と、前記制御手段の制御を受け、前記付帯情報と同期して映像音声データを再生する映像・音声信号再生手段とを備える受信側を有することを特徴とする映像音声データ伝送システムとしたもので、
付帯情報記録手段により再生時に必要な情報を記録することにより、データ編集手段により、映像の一部を自由に削除したとしても、映像・音声信号制御手段により、記録時の付帯情報を再生時点の付帯情報に同期させて表示することができる作用を有する。
本発明の請求項２に記載の発明は、請求項１に記載の付帯情報が、映像音声データ記録時の経過時間を表す連続した刻印であり、これによりデータ付帯情報抽出部で記録時の経過時間を得、この時間に同期して映像音声信号を再生する映像・音声信号制御手段を持つことを特徴としたもので、時刻印を付帯情報として記録しておくことで、送信前の編集により映像の一部が削除された場合でも、記録時の時間経過で再生を実現する作用を有する。
【００１７】
本発明の請求項３に記載の発明は、請求項１に記載の付帯情報が、映像音声データ中の任意の2点と、繰り返し回数であり、これによりデータ付帯情報抽出部で、映像音声データに付帯する情報を抽出し、送信側で指定された任意回数の、任意の2点間の映像音声データを繰り返し再生せしむることを特徴としたもので、編集時に特定箇所の映像データを繰返し繋ぐことなく、付帯情報の編集のみで、送信データを不必要に増大させずに、繰返し再生を可能にする作用を有する。
本発明の請求項４に記載の発明は、
請求項１に記載の付帯情報が、映像音声データ記録時の経過時間を表す連続した刻印と文字列であり、これによりデータ付帯情報抽出部で記録時の経過時間を得、この時間に同期して、記録された映像音声信号を再生する映像・音声信号制御手段と、文字列の内容を音声合成して発話する音声合成再生手段を備えることを特徴としたもので、
請求項２に記載の発明の作用に加え、再生映像に同期して音声を合成することで、編集時に新たな音声を記録することなく、映像を補足する情報を送信できるという作用を有する。
【００１８】
本発明の請求項５に記載の発明は、請求項１に記載の付帯情報が、映像音声データ記録時の経過時間を表す連続した刻印と外部機器制御命令列であり、これによりデータ付帯情報抽出部で記録時の経過時間を得、この時間に同期して、記録された映像音声信号を再生する映像・音声信号制御手段と、前記外部機器制御命令列の内容に従って機器を制御する外部機器制御手段を備えることを特徴としたもので、請求項２に記載の発明の作用に加え、再生映像に同期して、外部機器の動作を制御できるという作用を有する。
【００１９】
本発明の請求項６に記載の発明は、請求項１に記載の付帯情報が、映像音声データ記録時の記録手段の移動距離を表す連続した刻印であり、これによりデータ付帯情報抽出部で記録時の移動距離を得、これと受信機の移動距離に同期して映像音声信号を再生する映像・音声信号制御手段を持つことを特徴としたもので、受信者の移動距離と記録時の移動距離を同期させることで、移動する受信者が記録者の移動を追跡できる作用を有する。
【００２０】
（実施の形態１）
図1は本発明の請求項１による映像音声データ伝送システムの動作を示すブロック図である。
【００２１】
図1(a)において、101はシステムの送信側全体、102はカメラ・マイクを含む、送信すべき映像・音声を記録するための撮影手段、103はカメラ・マイク102で撮影した時の付帯情報を記録する付帯情報記録手段、104はカメラ・マイク102で撮影した映像・音声を記録する映像・音声信号記録手段、105は記録された映像・音声データと付帯情報とを合成するデータ合成手段、106はデータ合成手段105で合成された映像・音声データのうち、不要部分等を割愛するデータ編集手段、107はデータ編集手段106の出力をデータ放送として送出するデータ送信手段を表す。
【００２２】
また、図1(b)において、111はシステムの受信側全体、112は放送された付帯情報を持つデータを受信するデータ受信手段、113はデータ受信手段112によって受信したデータを蓄積しておくデータ蓄積手段、114はデータ蓄積手段113によって蓄積しているデータより、送信側で合成された付帯情報を抜き出すデータ付帯情報抽出手段、115は再生時に必要となる受信側の付帯情報を計測する付帯情報計測手段、116はデータ付帯情報抽出手段から出力された付帯情報がない映像・音声を再生する映像・音声信号再生手段、117はデータ付帯情報抽出手段114で抜き出した送信側付帯情報と付帯情報計測手段115によって計測された受信側の付帯情報との同期をとり、再生手段116の動作を制御する映像・音声信号制御手段、118はブラウン管やスピーカなどの映像・音声を再生するための映像・音声表示手段を表す。
【００２３】
（実施の形態２）
図２は本発明の請求項2による映像音声データ伝送システムの動作を示すブロック図である。
【００２４】
図２(a)において、201はシステムの送信側全体、202はカメラ・マイクを含む、送信すべき映像・音声を記録するための撮影手段、203はカメラ・マイク202で撮影した時の経過時間情報を記録する付帯情報記録手段、204はカメラ・マイク202で撮影した映像・音声を記録する映像・音声信号記録手段、205は記録された映像・音声データと付帯情報とを合成するデータ合成手段、206はデータ合成手段205で合成された映像・音声データのうち、不要部分等を割愛するデータ編集手段、207はデータ編集手段206の出力をデータ放送として送出するデータ送信手段を表す。
【００２５】
また、図２(b)において、211はシステムの受信側全体、212は放送された付帯情報を持つデータを受信するデータ受信手段、213はデータ受信手段212によって受信したデータを蓄積しておくデータ蓄積手段、214はデータ蓄積手段213によって蓄積しているデータより、送信側で合成された付帯情報を抜き出すデータ付帯情報抽出手段、215は再生時の経過時間（付帯情報）を計測する付帯情報計測手段、216はデータ付帯情報抽出手段から出力された付帯情報がない映像・音声を再生する映像・音声信号再生手段、217はデータ付帯情報抽出手段214で抜き出した送信側経過時間と付帯情報計測手段215によって計測された受信側の経過時間との同期をとり、再生手段216の動作を制御する映像・音声信号制御手段、218はブラウン管やスピーカなどの映像・音声を再生するための映像・音声表示手段を表す。
【００２６】
次に、本発明の実施の形態の動作を図示例と共に説明する。
（本発明の請求項２記載の映像音声データ伝送システム実施例）
図8は本発明の実施の形態2による映像音声データ伝送システムの動作を示す実施例であり、例として料理番組を放送する状況を想定している。図８において、801は従来の料理番組の放送フローを、802は本システムにおける送信データを、803は本システムにおける、受信側の映像再生フローを表している。また、804は時間軸を表し、図の左から右に向かって時間が経過することを示す。
【００２７】
以下、この図８および図2、図７に基づき動作を説明する。料理番組の場合、調理中の比較的冗長である部分は、放送時間の都合などもあり、省略されることが常である。即ち、一つの作業に時間がかかる下ごしらえや、実際には火に掛けた状態で待つだけの煮込み時間などの映像は放送上割愛される。
【００２８】
図8に示す本例においては、従来放送フロー801において、映像１と映像２の間の下ごしらえの10分間や、映像3と映像４の間にある煮込みの30分間がそれである。これについて、料理番組の映像を作る側の作業を考察してみる。図8の放送映像801を作成するためには、図７(a)の映像・音声撮影手段702によって撮影を行う前に、予め下ごしらえや煮込みをすませておき、撮影中に段取り良く準備された食材に切り換えることで、冗長な時間を割愛する方法１と、撮影時には実際に調理にかかる時間だけかけて料理を作り、その全体を記録しておき、これを図７(a)のデータ編集手段706によって冗長部分を削除する方法２、の大きく２通りが考えられる。
【００２９】
しかし、このいずれの方法によっても、従来システムでは、再生時の映像は既に冗長部分が省略されたものとなっている。一方で料理を作る側の立場で考えれば、映像は実際に料理を作っていく時間通り経過していくことが望ましい。つまり、図8の従来放送フロー801の映像1の後、実際の下ごしらえの時間中もそのまま放送が進行し、10分後、続きの映像２が始まる、という具合である。
【００３０】
本発明の実施の形態2による映像音声データ伝送システムでは、映像音声の記録とともに、図２(a)の付帯情報（経過時間）記録手段203によって、映像の記録開始からの経過時間を記録し、データ合成手段205によって、映像・音声データと合成することで、送信データの基礎を作っている。
【００３１】
このため、その後のデータ編集手段206において、冗長と思われる部分を削除しても（図8の送信データ802）、受信側において、図２(b)のデータ付帯情報抽出手段214によって抽出された送信側の経過時間情報と、受信側の経過時間計測手段215によって測定された視聴者側の実経過時間とを同期させて映像の再生を実行するため、たとえ送信側で編集された映像であっても、調理の進行が実時間で進行し、視聴者は再生を継続しながら、実際の調理を進めることができる。
【００３２】
再生側の動作を再度詳細に説明すると、図２(b)のデータ受信手段によって受信された映像データは、データ付帯情報抽出手段214によって送信側の経過時間情報と、映像・音声情報とに分けられる。一方受信側も経過時間計測手段215により再生開始時からの時間経過情報を計測しており、これら２つの経過時間情報が映像・音声信号制御手段217に入力され、制御手段217では、この２つの経過時間の同期がとれるよう、映像・音声信号再生手段216を制御する。２つの経過時間の同期を取るとは、送信側の経過時間情報が途切れたとき、それまでの時間と、次に再生する映像の経過時間との時間差を受信側で吸収することである。
【００３３】
例えば、図8の再生映像803において、映像１と、映像２は映像信号としては連続しているが、送信側の経過時間では10分間の間隔が空いている。このとき、制御手段217では、映像１を再生した後、受信側の経過時間が10分間経つのを待ってから、映像２の再生を開始する。同様に映像３の再生の後、30分間あけてから映像4を再生する。この映像再生の制御をシステム内で実施することで、視聴者は、再生映像の制御を意識することなく、手本映像の調理映像と、自らが行っている調理の進行を一致させることができるのである。
【００３４】
（実施の形態3）
図3は本発明の請求項3による映像音声データ伝送システムの動作を示すブロック図である。
【００３５】
図3(a)において、301はシステムの送信側全体、302はカメラ・マイクを含む、送信すべき映像・音声を記録するための撮影手段、303はカメラ・マイク302で撮影した映像の、どの2点間を何回繰り返すかを記録する付帯情報記録手段、304はカメラ・マイク302で撮影した映像・音声を記録する映像・音声信号記録手段、305は記録された映像・音声データと付帯情報とを合成するデータ合成手段、306はデータ合成手段305で合成された映像・音声データのうち、不要部分等を割愛するデータ編集手段、307はデータ編集手段306の出力をデータ放送として送出するデータ送信手段を表す。
【００３６】
また、図3(b)において、311はシステムの受信側全体、312は放送された付帯情報を持つデータを受信するデータ受信手段、313はデータ受信手段312によって受信したデータを蓄積しておくデータ蓄積手段、314はデータ蓄積手段313によって蓄積しているデータより、送信側で合成された繰返し制御情報を抜き出す、データ付帯情報抽出手段、315は再生時の経過時間（付帯情報）を計測する付帯情報計測手段である。
【００３７】
316はデータ付帯情報抽出手段から抽出された、繰返し情報がない映像・音声を再生する映像・音声信号再生手段、317はデータ付帯情報抽出手段314で抽出した繰返し情報に基づき、再生手段316の動作を制御する映像・音声信号制御手段、318はブラウン管やスピーカなどの映像・音声を再生するための映像・音声表示手段を表す。
【００３８】
次に、本発明の実施の形態の動作を図示例と共に説明する。
（本発明の請求項３記載の映像音声データ伝送システム実施例）
図９は本発明の実施の形態３による映像音声データ伝送システムの動作を示す実施例であり、例としてテニスの練習番組を放送する状況を想定している。図９において、901は記録時の映像フローを、902は本システムにおける送信データを、903は本システムにおける、受信側の映像再生フローを表している。また、904は時間軸を表し、図の左から右に向かって時間が経過することを示す。
【００３９】
以下、この図9および図3、図７に基づき動作を説明する。記録映像901において、映像1の後、実際の練習においてはテニスの素振りを30回繰り返すことを期待して送信側の映像を作っている。記録時には同じ素振りの映像を30回分収録することはしない。ここで、従来のシステムでは、データ編集手段706において、素振りの映像を30回繰返し挿入することで送信データを作成する。
【００４０】
ところが、これでは映像データとして30回の繰返し部分という冗長性が生まれることになる。本発明の請求項３記載の映像音声データ伝送システムにおいては、繰返情報記録手段303において、映像２および、映像３は30回繰り返すという情報をデータ合成手段305により映像信号に加える。この結果データ送信手段307によって、送信データ902を送信する。このデータには、上で述べた従来システムの持つ冗長性はみられない。
【００４１】
一方、受信側311においては、データ付帯情報抽出手段314によって、映像２から映像3にかけての繰返し情報が抽出され、制御手段317によって、再生手段316が制御され、再生映像903のフローに見られるように再生が行われる。即ち、映像1の再生後、映像２から映像3の素振り映像が30回繰返された後、映像4の再生が開始される。つまり、本システムの利用により、繰返し映像データを冗長性なしに伝送することができる。
【００４２】
（実施の形態４）
図４は本発明の請求項４による映像音声データ伝送システムの動作を示すブロック図である。
【００４３】
図４(a)において、401はシステムの送信側全体、402はカメラ・マイクを含む、送信すべき映像・音声を記録するための撮影手段、403はカメラ・マイク402で撮影した時の経過時間情報を記録する付帯情報記録手段、404はカメラ・マイク402で撮影した映像・音声を記録する映像・音声信号記録手段、405は記録された映像・音声データと付帯情報とを合成するデータ合成手段、406はデータ合成手段405で合成された映像・音声データのうち、不要部分等を割愛するデータ編集手段、407はデータ編集手段406の出力をデータ放送として送出するデータ送信手段を表す。
【００４４】
また、図４(b)において、411はシステムの受信側全体、412は放送された付帯情報を持つデータを受信するデータ受信手段、413はデータ受信手段412によって受信したデータを蓄積しておくデータ蓄積手段、414はデータ蓄積手段413によって蓄積しているデータより、送信側で合成された経過時間情報を抜き出す、データ付帯情報抽出手段、415は再生時の経過時間（付帯情報）を計測する付帯情報計測手段、416はデータ付帯情報抽出手段を経た、付帯情報がない映像・音声を再生する映像・音声信号再生手段、417はデータ付帯情報抽出手段414で抽出した付帯情報に基づき、映像・音声再生手段416、および音声合成再生手段418（後述する）の動作を制御する映像・音声信号制御手段、418は映像・音声信号制御手段417の制御を受け、送信側401で指定された文字列を指定された映像と同期して音声合成して再生する音声合成再生手段、419はブラウン管やスピーカなどの映像・音声を再生するための映像・音声表示手段を表す。
【００４５】
次に、本発明の実施の形態の動作を図示例と共に説明する。
（本発明の請求項４記載の映像音声データ伝送システム実施例）
図10は本発明の実施の形態４による映像音声データ伝送システムの動作を示す実施例であり、例として、時間制限付きの試験を実施する教育番組を放送する状況を想定している。図10において、1001は記録時の映像フローを、1002は本システムにおける送信データを、1003は本システムにおける、受信側の映像再生フローを表している。また、1004は時間軸を表し、図の左から右に向かって時間が経過することを示す。
【００４６】
以下、この図10および図4、図７に基づき動作を説明する。記録映像1001では、映像１、映像２において、これから始める試験についての諸注意などが収録されており、映像２の最後の部分で試験開始の合図が入っているとする。その後時間制限10分の試験を行い、（試験は途中、5分前、3分前、１分前に音声で合図する必要があるとする）、映像3の始めには、試験終了の合図が入っているとする。
【００４７】
従来のシステムにおいて、この記録映像1001を再生しながら実際に試験を実施しようとした場合、再生側において、映像２再生後に再生を一時停止、その後、手動にて10分間を計時する。このとき、5分前、3分前、１分前に、それぞれ肉声にて合図を送る必要がある。そして、10分経過後に一時停止を解除し、映像3の再生を開始するのである。
【００４８】
あるいは、従来のシステムの場合、試験中の10分間も実時間でそのまま記録しておく方法も考えられる。しかし、このときは試験中の10分間はほとんど冗長な時間となる。
【００４９】
本発明の請求項４記載の映像音声データ伝送システム（以下、本システムとする）においては、本発明の請求項２記載の映像音声データ伝送システム同様、図４(a)の付帯情報記録手段403において、記録時の経過時間を記録、この時、映像3の記録開始時の経過時間情報を映像２記録終了時の経過時間の10分後にしておくことで、受信側411での、再生時の映像２と映像3間の10分間の時間間隔を確保している。
【００５０】
また、図10の送信データ1002において、試験中に発せられる合図を文字列１〜３として付帯情報に加えておく。受信側411では、データ付帯情報抽出手段414によって抽出された文字列１〜３に従って、制御手段417が音声合成再生手段418を制御し、経過時間指定に同期して必要な指示を音声で再生することが可能である。この結果、再生映像1003にあるごとく、映像２再生終了後、5分目に音声指示１、8分後に音声指示２、9分後に音声指示3を発し、10分後に映像3の再生を開始する。
【００５１】
すなわち、本システムを利用すれば、送信側において10分間の試験中の冗長な映像記録をなくした上に、受信側において、再生時の試験の開始、終了での映像の一時停止・解除動作が不要となる映像データ伝送が実現できる。
【００５２】
（実施の形態5）
図5は本発明の請求項5による映像音声データ伝送システムの動作を示すブロック図である。
【００５３】
図5(a)において、501はシステムの送信側全体、502はカメラ・マイクを含む、送信すべき映像・音声を記録するための撮影手段、503はカメラ・マイク502で撮影した時の経過時間情報を記録する付帯情報記録手段、504はカメラ・マイク502で撮影した映像・音声を記録する映像・音声信号記録手段、505は記録された映像・音声データと付帯情報とを合成するデータ合成手段、506はデータ合成手段405で合成された映像・音声データのうち、不要部分等を割愛するデータ編集手段、507はデータ編集手段506の出力をデータ放送として送出するデータ送信手段を表す。
【００５４】
また、図5(b)において、511はシステムの受信側全体、512は放送された付帯情報を持つデータを受信するデータ受信手段、513はデータ受信手段512によって受信したデータを蓄積しておくデータ蓄積手段、514はデータ蓄積手段513によって蓄積しているデータより、送信側で合成された経過時間情報、および外部機器制御情報を抜き出す、データ付帯情報抽出手段、515は再生時の経過時間（付帯情報）を計測する付帯情報計測手段、516はデータ付帯情報抽出手段514を経た、付帯情報がない映像・音声を再生する映像・音声信号再生手段である。
【００５５】
517はデータ付帯情報抽出手段514で抽出した外部機器制御情報に基づき、外部機器を制御する外部機器制御手段、518はデータ付帯情報抽出手段514によって抽出された経過時間情報（付帯情報）に基づき、映像・音声信号再生を制御する映像・音声信号再生手段、 519はブラウン管やスピーカなどの映像・音声を再生するための映像・音声表示手段を表す。
【００５６】
次に、本発明の実施の形態の動作を図示例と共に説明する。
（本発明の請求項５記載の映像音声データ伝送システム実施例）
図11は本発明の実施の形態5による映像音声データ伝送システム（以下本システムと記述する）の動作を示す実施例であり、例としてピアノの練習番組を放送する状況を想定している。図11において、1101は記録時の映像フローを、1102は本システムにおける送信データを、1103は本システムにおける、受信側の映像再生フローを表している。また、1104は時間軸を表し、図の左から右に向かって時間が経過することを示す。
【００５７】
以下、この図11および図５、図７に基づき動作を説明する。図11の記録映像フロー1101では、映像１および映像２で練習の前置き部分が、映像3において実際の演習部分を、映像4以降で練習のまとめが収録されているとする。データ放送受信者は受信環境の他に、外部機器として、練習用の電子ピアノを所有しており、これと受信側511の外部機器制御手段517とが正しく接続されていて、制御手段517の制御によって、電子ピアノの鍵盤のランプが点灯する仕組みになっているものとする（ここで、制御手段517と外部機器である電子ピアノとの接続手法は本発明の本質とは無関係であるため、説明を省略する）。
【００５８】
本システムでは、送信側501の付帯情報記録手段503において、映像3の練習映像に同期して、叩くべき電子ピアノの鍵盤の位置情報をピアノデータとして記録し、図11の送信データ1102に見られるように、データ合成手段505にて、映像３のデータと合成し、送信データとする。
【００５９】
受信側511では、データ付帯情報抽出手段514にて抽出されたピアノデータと経過時間情報（同期データ）を入力として、外部機器制御手段517が外部機器である電子ピアノを制御し、映像に同期して弾くべき鍵盤の位置を鍵盤のランプを点灯させることで受信者に伝える。この結果、再生映像1103では、映像３の再生の期間中、画面に同期して電子ピアノの鍵盤が点灯し、これに合わせて弾くことで受信者のピアノ練習が実現できる。すなわち、本システムを利用することで、映像・音声信号に同期して受信者の所有する外部機器を制御できる映像・音声データ伝送を実現できる。
【００６０】
（実施の形態６）
図６は本発明の請求項６による映像音声データ伝送システムの動作を示すブロック図である。
【００６１】
図６(a)において、601はシステムの送信側全体、602はカメラ・マイクを含む、送信すべき映像・音声を記録するための撮影手段、603はカメラ・マイク602で撮影した時の記録手段の移動距離を記録する付帯情報記録手段、604はカメラ・マイク602で撮影した映像・音声を記録する映像・音声信号記録手段、605は記録された映像・音声データと付帯情報とを合成するデータ合成手段、606はデータ合成手段605で合成された映像・音声データのうち、不要部分等を割愛するデータ編集手段、607はデータ編集手段606の出力をデータ放送として送出するデータ送信手段を表す。
【００６２】
また、図６(b)において、611はシステムの受信側全体、612は放送された付帯情報を持つデータを受信するデータ受信手段、613はデータ受信手段612によって受信したデータを蓄積しておくデータ蓄積手段、614はデータ蓄積手段613によって蓄積しているデータより、送信側で合成された付帯情報を抜き出すデータ付帯情報抽出手段、615は再生時の放送視聴者の移動距離（付帯情報）を計測する付帯情報計測手段、616はデータ付帯情報抽出手段から出力された付帯情報がない映像・音声を再生する映像・音声信号再生手段、617はデータ付帯情報抽出手段614で抜き出した映像記録時の移動距離と付帯情報計測手段615によって計測された放送視聴者の移動距離との同期をとり、再生手段616の動作を制御する映像・音声信号制御手段、618はブラウン管やスピーカなどの映像・音声を再生するための映像・音声表示手段を表す。
【００６３】
次に、本発明の実施の形態の動作を図示例と共に説明する。
（本発明の請求項６記載の映像音声データ伝送システム実施例）
図12は本発明の実施の形態6による映像音声データ伝送システムの動作を示す実施例であり、車で走行中に見る旅ガイド番組をデータ放送する状況を想定している。図12において、1201は記録時の映像フローを、1202は本システムにおける送信データを、1203は本システムにおける、受信側の映像再生フローを表している。また、1204は(移動)距離軸を表し、図の左から右に向かって(移動)距離が増えることを示す。
【００６４】
以下、この図12および図6、図７に基づき動作を説明する。
【００６５】
旅ガイド番組は、未知の土地への旅行には有効である。未知の土地を訪れた人は、普通その土地のことを少しでも多く知りたいと思う。しかし、従来のテレビ番組を見ているだけでは、リアルタイムに見たい場所を映し出すのではなく、送信側の時間進行で映像が再生される。また、いわゆるカーナビゲーションシステムで映し出される映像は、情報の新鮮さという点で問題がある。
【００６６】
これに対して本発明の移動距離を認識するシステムを利用することにより、リアルタイムに見たい映像(今訪れている場所の映像)を視聴することができるようになる。図12に示す本例においては、記録時の映像フロー1201において、映像１の京都駅出発の場面や映像２の西本願寺が見えてくる場面や、また映像３の西本願寺の説明が始まる場面がそれにあたる。これにつき、旅ガイド番組の映像を作る側の作業を考察してみる。
【００６７】
図12の放送映像1201を作成するためには、従来の手法では、図７(a)の映像音声撮影手段702によって、目的地と考えられる場所(図12の例では西本願寺)のみを重点的に撮影し、さらに決められた放送時間内に抑えるために図7(a)のデータ編集手段706によって冗長部分を削除するという手順をとる。従って、従来システムにおいては、再生時の映像も冗長部分が省略されたものになっている。一方で、車で旅行をしている側の立場で考えれば、映像は訪れているその時に、その場所のものが放映されていることが望ましい。即ち、図12の映像フロー1201の映像1、2、3、4、5を、移動距離に合わせて放映させるのが望ましい。
【００６８】
本発明の実施の形態6による映像音声データ伝送システムでは、映像音声の記録とともに、図６(a)の付帯情報（移動距離）記録手段603によって、映像の記録開始からの移動距離を記録し、データ合成手段605によって、映像・音声データと合成することで、送信データの基礎を作っている。このため、その後のデータ編集手段606において、冗長と思われる部分を削除しても（図12の送信データ1202）、受信側において、図６(b)のデータ付帯情報抽出手段614によって抽出された送信側の移動距離情報と、受信側の移動距離測定手段615によって測定された視聴者側の実移動距離とを同期させて映像の再生を実行するため、たとえ送信側で編集された映像であっても、再生映像は観光者の移動に同期して進行するため、観光者は再生を継続しながら観光を進めることができる。
【００６９】
再生側の動作を再度詳細に説明すると、図6の(b)のデータ受信手段によって受信された映像データは、データ付帯情報抽出手段614によって送信側の移動距離情報と、映像・音声情報とに分けられる。一方受信側も移動距離計測手段615により再生開始時からの移動距離情報を計測しており、これら２つの移動距離情報が映像・音声信号制御手段617に入力され、制御手段617では、この２つの移動距離の同期がとれるよう、映像・音声信号再生手段616を制御する。２つの移動距離の同期を取るとは、送信側の移動距離情報が途切れたとき、それまでの距離と、次に再生する映像の移動距離との距離の差を受信側で吸収することである。
【００７０】
例えば、図12の再生映像1203において、映像1と、映像2、そして映像3は映像信号としては連続しているが付帯情報である移動距離は途切れている。制御手段617では、観光者の移動距離に同期した映像1の再生がが終了すると、次の映像２の再生を開始しようとするが、この時、移動距離計測手段615によって計測された観光者の移動距離移動距離が、映像２開始時の付帯情報（移動距離）に達していない場合、再生を一時停止する。その後、観光者の移動距離が、映像２開始時の移動距離情報と一致した時、再生を開始する。この制御を伝送システム内で実施することで、視聴者は、再生映像の制御を意識することなく、京都観光の映像と、自らが訪れている場所を一致させることができる。
【００７１】
また、本発明のデータ伝送システムにおける、送信側から受信側までのデータ伝搬媒体については、有線、無線を問わず、特にこれを特定しない。尚、本発明の映像音声データ伝送システムは、上述の図示例にのみ限定されるものではなく、本発明の要旨を逸脱しない範囲内において種々変更を加え得ることは勿論である。
【００７２】
【発明の効果】
以上、説明したように本発明の請求項１〜6記載の映像音声データ伝送システムによれば、送信データに付帯情報を含むことにより、記録時の映像音声の持つ付帯情報に同期した再生を実現することができる。この付帯情報を経過時間情報、繰返し情報、合成音声文字列、外部機器制御情報のいずれか、もしくはこれらを組み合わせた情報とすることで、データ放送視聴者側には操作の負担をかけない、種々の性質の放送番組内容に対応した映像音声再生を実現するという優れた効果を奏し得る。
【図面の簡単な説明】
【図１】この発明の実施の形態１による映像音声データ伝送システムの構成を示すブロック図
【図２】この発明の実施の形態２による映像音声データ伝送システムの構成を示すブロック図
【図３】この発明の実施の形態３による映像音声データ伝送システムの構成を示すブロック図
【図４】この発明の実施の形態４による映像音声データ伝送システムの構成を示すブロック図
【図５】この発明の実施の形態５による映像音声データ伝送システムの構成を示すブロック図
【図６】この発明の実施の形態６による映像音声データ伝送システムの構成を示すブロック図
【図７】従来例における映像音声データ伝送システムの構成を示すブロック図
【図８】実施の形態２における映像音声データ伝送システムの一例を示す図
【図９】実施の形態３における映像音声データ伝送システムの一例を示す図
【図１０】実施の形態４における映像音声データ伝送システムの一例を示す図
【図１１】実施の形態５における映像音声データ伝送システムの一例を示す図
【図１２】実施の形態６における映像音声データ伝送システムの一例を示す図
【符号の説明】
１０１  送信側
１０２  映像音声撮影手段
１０３  付帯情報記録手段
１０４  映像・音声信号記録手段
１０５  データ合成手段
１０６  データ編集手段
１０７  データ送信手段
１１１  受信側
１１２  データ蓄積手段
１１３  データ受信手段
１１４  データ付帯情報抽出手段
１１５  付帯情報計測手段
１１６  映像・音声信号再生手段
１１７  映像・音声信号制御手段
１１８  映像・音声表示手段
２０３  付帯情報（経過時間）記録手段
２１５  付帯情報（経過時間）計測手段
３０３  付帯情報（繰返情報）記録手段
４１８  音声合成再生手段
５１７  外部機器制御手段
６０３  付帯情報（移動距離）記録手段
６１５  付帯情報（移動距離）計測手段
８０１  従来放送再生フロー
８０２  本システムにおける送信データ
８０３  本システムにおける受信側の映像再生フロー
８０４  時間軸
９０１  記録時の映像フロー
１２０４  移動距離軸
【図１】
0004631126.tif 000002
【図２】
0004631126.tif 000003
【図３】
0004631126.tif 000004
【図４】
0004631126.tif 000005
【図５】
0004631126.tif 000006
【図６】
0004631126.tif 000007
【図７】
0004631126.tif 000008
【図８】
0004631126.tif 000009
【図９】
0004631126.tif 000010
【図１０】
0004631126.tif 000011
【図１１】
0004631126.tif 000012
【図１２】
0004631126.tif 000013